(57)【要約】【課題】シリンダ錠に関し、２個の施解錠対象を他に影響を与えることなく個別に操作することを目的とする。【解決手段】シリンダケース１に挿入され、初期回転位置から回転方向の異なる２カ所の回転終端位置まで回転自在なプラグ２と、  ２個の施解錠対象が連結される連結部３、３’とを有し、  前記各連結部３、３’の一方は、プラグ２の一方への回転方向に追随回転するとともに、他方への回転方向に対する遊び角をもってプラグ２に連結され、  他方の連結部３’は、前記一方の連結部３に対して反対関係となるようにプラグ２に連結され、  プラグ２への回転方向により前記２個の施解錠対象のいずれかを選択して非選択施解錠対象への操作を防止するように構成する。【選択図】図１
2009235848.tif 000002
【特許請求の範囲】
【請求項１】
シリンダケースに挿入され、初期回転位置から回転方向の異なる２カ所の回転終端位置まで回転自在なプラグと、
２個の施解錠対象が連結される連結部とを有し、
前記各連結部の一方は、プラグの一方への回転方向に追随回転するとともに、他方への回転方向に対する遊び角をもってプラグに連結され、
他方の連結部は、前記一方の連結部に対して反対関係となるようにプラグに連結され、
プラグへの回転方向により前記２個の施解錠対象のいずれかを選択して非選択施解錠対象への操作を防止するシリンダ錠。
【請求項２】
前記プラグに連結されるレバーを有し、
前記連結部は、レバーに形成され、前記遊び角を提供する長孔に対してスライド自在なロッドホルダに形成される請求項１記載のシリンダ錠。
【請求項３】
前記レバーはプラグの軸長方向に離隔して配置され、各々に前記ロッドホルダが連結される２枚の連結片を備えてコ字形状に形成される請求項２記載のシリンダ錠。
【請求項４】
前記ロッドホルダは、装着筒部が対向する姿勢で各連結片に連結される請求項３記載のシリンダ錠。
【請求項５】
前記施解錠対象に連結するケーブルを有し、
該ケーブルは、終端に固定されたＬ字形状のケーブルエンドをロッドホルダに連結して装着される請求項２、３または４記載のシリンダ錠。
【発明の詳細な説明】
【技術分野】
【０００１】
本発明は、シリンダ錠に関するものである。
【背景技術】
【０００２】
複数の施解錠対象を操作可能なシリンダ錠としては、特許文献１に記載されたものが知られている。この従来例において、シリンダ錠を挟んで一対の操作ハンドルが配置される。シリンダ錠は施解錠状態によって軸長方向に移動し、施錠状態にあるとき、双方の操作ハンドルの回転操作を規制し、解錠状態において操作が可能になる。
【０００３】
しかし、上述した従来例において、施解錠対象である操作ハンドルは、シリンダ錠に隣接配置されていることが条件となるために、施解錠対象がロッド、あるいはケーブル等を介して遠隔操作される場合には適用できないという問題がある。
【０００４】
離隔配置された施解錠対象を遠隔操作するシリンダ錠としては、特許文献２に記載されたように、プラグ後端に連結されるレバーと施解錠対象をロッドにより連結したものが知られている。
【０００５】
しかし、この従来例によれば、レバーはプラグへの回転操作に同期して回転するために、同一のレバーにより複数の施解錠対象を他に影響を与えることなく操作することはできない。
【特許文献１】特開平７-１５０８４０号公報
【特許文献２】実用新案登録第２５６１６８９号公報
【発明の開示】
【発明が解決しようとする課題】
【０００６】
本発明は、以上の欠点を解消すべくなされたものであって、２個の施解錠対象を他に影響を与えることなく個別に操作することのできるシリンダ錠の提供を目的とする。
【課題を解決するための手段】
【０００７】
プラグ２はシリンダケース１内で初期回転位置から時計回りと反時計回りに回転した回転終端位置まで回転操作可能であり、回転方向に対して施解錠対象が対応付けられる。施解錠対象を遠隔操作するために一端が施解錠対象に連結されるロッド棒、あるいはケーブル９の他端を連結するために、シリンダ錠は各施解錠対象に対応する２個の連結部３、３’を備える。
【０００８】
連結部３、３’の一方は、プラグ２に対する時計回りの回転操作が行われた際に、プラグ２の回転に追随して回転し、反時計回りの回転方向には遊び角が設定される。遊び角は、他の連結部３’に連結される他の施解錠対象を作動させるための作動角より大きな角度に設定される。
【０００９】
この結果、プラグ２を時計回りに回転操作すると、上記連結部３はプラグ２とともに回転するために、この連結部３に連結される施解錠対象を操作することができる。これに対し、他の施解錠対象を操作するために、プラグ２を反時計回りに回転操作した場合、連結部３はプラグ２に対して空転するために、当該連結部３に連結されている施解錠対象は何等の影響も受けない。
【００１０】
上述した関係は、プラグ２の反時計回りの回転に関連付けられた他の連結部３’においても同様に、反時計回りの回転にのみ追随するように構成されているために、いずれの回転においても、他の施解錠対象に影響を与えることなく対応する施解錠対象のみを操作することが可能になる。
【００１１】
したがってこの発明において、施解錠対象側に何等の機構を組み込むことなく、同一のシリンダ錠で２箇所の施解錠対象を操作することができる。
【００１２】
連結部３は、プラグ２に対して上述した関係を有するものであれば、適宜の保持部材上に構成することができ、例えば、プラグ２の軸部に連結され、各々プラグ２の軸との間に上述した遊びをもった２枚のレバー４を保持部材とし、これに開設されたロッド挿通孔等を連結部３とすることができる。
【００１３】
また、このほかに、プラグ２の軸部に遊びを設定されることなく連結された１枚のレバー４を保持部材として連結部３を構成することも可能であり、この場合、連結部３は、レバー４に形成され、前記遊び角を提供する長孔５に対してスライド自在なロッドホルダ６に形成することができる。
【００１４】
さらに、１枚のレバー４に２カ所の連結部３、３’を構成する場合には、相互の干渉等を防止するために、プラグ２の軸長方向に離隔して配置され、各々に前記ロッドホルダ６が連結される２枚の連結片７、７’を備えてコ字形状に形成されたレバー４を使用することができる。
【００１５】
また、かかるレバー４を使用する場合、ロッドホルダ６は、装着筒部８が対向する姿勢で各連結片７、７’に連結されるようにすると、ロッドホルダ６の装着作業性が向上する。
【発明の効果】
【００１６】
本発明によれば、２個の施解錠対象を他に影響を与えることなく個別に操作することができる。
【発明を実施するための最良の形態】
【００１７】
図１に車両のトランクに固定され、２カ所の施解錠対象、すなわち、トランクリッドと、ストレージボックスの施解錠操作を行うように構成されたシリンダ錠を示す。シリンダ錠は、複数のタンブラ１１が装着されたプラグ２をシリンダケース１内に挿入して形成され、シリンダケース１に設けた固定片１ａにおいて図外のトランクリッドに固定される。
【００１８】
プラグ２は、図外の真正な解錠キーを挿入することにより図に示す初期回転位置から時計、反時計双方向に回転操作することができ、プラグ２の回転操作方向により施解錠対象が選択される。また、プラグ２には、トーションスプリング１２により初期回転位置側への付勢力が与えられており、プラグ２をいずれかのストローク終端まで回転操作した後、操作力を解除するとプラグ２は初期回転位置に自動復帰する。
【００１９】
上記プラグ２の後端には金属板材により形成されるレバー４が連結される。レバー４には、図２（ａ）に示すように、中心角（θ）が同一の２個の長孔５、５’が形成され、各長孔５、５’に合成樹脂材を射出成型して形成されるロッドホルダ６が装着される。後述するように、中心角（θ）は、プラグ２の操作ストローク角度に一致する。
【００２０】
プラグ２への回転操作力をケーブル９を使用して施解錠対象に伝達するこの実施の形態において、アウタケーブル９ａのケーブルエンド９ｃは適宜の支持部（図示せず）に保持され、インナケーブル９ｂのケーブルエンド１０はロッドホルダ６による保持が可能なように、ロッド棒の先端部類似の形状、すなわち、心線部から延設される延長部１０ａと、延長部１０ａ先端から直交する直交部１０ｂとを有してＬ字形状に成形される。
【００２１】
図２（ｂ）（ｃ）、および（ｄ）に示すように、ロッドホルダ６は、延長部１０ａを保持する保持部６ａと、直交部１０ｂが挿通する挿通孔６ｂが開設された装着筒部８とを有し、装着筒部８においてレバー４の長孔５に装着される。レバー４への装着のために、装着筒部８には、弾性変形可能な片持梁状の係止脚６ｃが設けられる。図２（ｄ）に示すように、係止脚６ｃ、６ｃ間の間隔は長孔５の幅寸法よりやや大寸に形成され、装着筒部８の先端を長孔５に押し付けると、係止脚６ｃが弾性変形して長孔５内に挿入した後、長孔５周縁部に係止して抜け止めされる。
【００２２】
上記装着筒部８には、係止脚６ｃに対して直交する位置にスライド突部６ｄが径方向に突設され、長孔５に装着された状態で、上記係止脚６ｃとスライド突部６ｄとをレバー４の片面に、保持部６ａをレバー４の反対面に当接させた長孔５に沿って移動することができる。
【００２３】
上記ロッドホルダ６を保持する長孔５は、ロッドホルダ６が長孔５に沿って摺動している際の装着筒部８、８’同士、およびケーブル９、９’同士の干渉が発生することのないように配置される。本実施の形態におけるレバー４の形状は、上述した条件を充足する長孔５を形成可能で、さらに、図２（ａ）に示す背面視における面積が可及的に小さくなるように決定され、まず、ケーブル９、９’同士の干渉を防止するために、ロッドホルダ６の摺動面をプラグ２の軸長方向に配置される２層に分配する。
【００２４】
このために、レバー４は、図１（ｂ）に示すように、プラグ２の軸長方向に平行な２枚の連結片７を備えたコ字形状に形成され、長孔５は各連結片７、７’に開設される。連結片７、７’間の間隔を狭くし、奥行き方向の寸法を短くするために、連結片７、７’間の間隔は装着筒部８を収容可能な程度の寸法に設定される。ロッドホルダ６の挿入操作性を考慮して、正面側に配置されるレバー４には正面側から、背面側に配置されるレバー４’には背面側から装着筒部８が挿入されるこの実施の形態において、長孔５は、始終端が背面視において同一扇形状の両側辺上に位置するように配置され、プラグ２回転中心に近く、曲率が小さい側と大曲率側との曲率を調整することにより装着筒部８、８’同士の干渉が防止される。
【００２５】
したがってこの実施の形態において、図２（ａ）の初期状態で大曲率側の長孔５にトランクリッドロックが、小曲率側の長孔５’にストレージボックスロックが装着筒部８’の中心を連結部３、３’として連結され、各々左右に引き出される。この状態からプラグ２を時計回り（平面視における反時計回り）に回転操作すると、図３（ａ）に示すように、レバー４の回転に伴って小曲率側の長孔５’のみがロッドホルダ６’の装着筒部８’を押し付けてストレージボックスロックが操作される。このとき、大曲率側の長孔５は連結部３に対して遊び角を提供するために、装着筒部８はその位置に留まり、結果、トランクリッドロックに対する操作は行われない。
【００２６】
ストレージボックスロックに対する操作終了後、プラグ２への操作力を解除すると、トーションスプリング１２によりプラグ２は初期回転位置に復帰するとともに、ストレージボックスロックからの初期状態復帰力によりインナケーブル９ｂも初期位置に復帰し、結果、図２（ａ）に示す初期状態に復帰する。
【００２７】
これと同様に、プラグ２に反時計回りの回転操作力を加えると、図３（ｂ）に示すように、大曲率側の連結部３のみが回転し、トランクリッドロック装置が操作される。
【図面の簡単な説明】
【００２８】
【図１】本発明を示す図で、（ａ）は断面図、（ｂ）はレバーを示す図である。
【図２】連結部を示す図で、（ａ）は、ロッドホルダをレーバーに取り付けた状態を示す図、（ｂ）は（ａ）の２Ｂ方向矢視図、（ｃ）は（ｂ）の２Ｃ方向矢視図、（ｄ）は（ｃ）の２Ｄ方向矢視図である。
【図３】レバーの動作を示す図で、（ａ）はプラグを時計回りに回転操作した状態を示す図、（ｂ）はプラグを反時計回りに回転操作した状態を示す図
【符号の説明】
【００２９】
１        シリンダケース
２        プラグ
３、３’  連結部
４        レバー
５        長孔
６        ロッドホルダ
７、７’  連結片
８        装着筒部
９        ケーブル
１０      ケーブルエンド
【図１】
2009235848.tif 000003
【図２】
2009235848.tif 000004
【図３】
2009235848.tif 000005